(57)【要約】【課題】受信状態などに応じて、ユーザが希望する周波数の信号をできる限り受信可能にすることができる移動体用無線受信装置を提供する。【解決手段】操作入力部１０等のユーザインタフェースを使用し、ユーザが第１番目の視聴希望周波数の周波数情報を、周波数情報記憶部９に設定登録しておく。受信信号品質の劣化などで視聴が困難になった場合、操作入力部１０よりユーザが視聴周波数の切替指示を行い、他の視聴周波数に切り替える。このとき、周波数情報切替部８が現在視聴中のコンテンツの周波数とユーザにより登録された第１視聴希望周波数とを任意のタイミングで切り替えて、信号品質判定部７により第１視聴希望周波数の受信信号品質を判定し、その受信信号品質が改善した場合には、報知部１３によってユーザに報知する。【選択図】図１
2007329643.tif 000002
【特許請求の範囲】
【請求項１】
視聴周波数に関する操作指示を入力する操作入力部と、
前記視聴周波数の受信信号を復調する受信部と、
前記視聴周波数に関する周波数情報を記憶する周波数情報記憶部と、
前記受信部により復調した受信信号品質を判定する信号品質判定部と、
前記信号品質判定部の判定結果に基づき報知を行う報知部とを備え、
前記信号品質判定部は、前記周波数情報記憶部に記憶された周波数における受信信号品質を判定し、所定値より改善した場合に前記報知部へ報知信号を出力する移動体用無線受信装置。
【請求項２】
請求項１に記載の移動体用無線受信装置であって、
前記操作入力部は、ユーザによる視聴希望周波数の設定の入力機能と、視聴周波数の切り替え指示の入力機能とを有し、
前記周波数情報記憶部は、前記設定された視聴希望周波数の周波数情報を記憶するものであり、
前記操作入力部からの指示入力に基づき、前記受信部における復調周波数として、前記操作入力部により設定または切替指示がなされた現在の視聴周波数と、前記周波数情報記憶部に記憶された視聴希望周波数とを所定のタイミングで切り替える周波数情報切替部を備え、
前記信号品質判定部は、前記視聴希望周波数における受信信号品質が所定値より改善した場合に前記報知部へ報知信号を出力する移動体用無線受信装置。
【請求項３】
請求項１に記載の移動体用無線受信装置であって、
前記操作入力部は、ユーザによる視聴希望周波数の設定の入力機能と、視聴周波数の切り替え指示の入力機能とを有し、
前記受信部として複数の受信経路をそれぞれ構成する複数の受信部を備えるとともに、前記複数の受信部の復調信号を切り替えまたは合成する受信信号選択部を備え、
前記周波数情報記憶部は、前記設定された視聴希望周波数の周波数情報を記憶するものであり、
前記受信部は、前記操作入力部からの指示入力に基づき、複数の受信部のうちの第１の受信部で前記周波数情報記憶部に記憶された視聴希望周波数の復調を行い、第２の受信部で前記操作入力部により設定または切替指示がなされた現在の視聴周波数の復調を行うものであり、
前記信号品質判定部は、前記視聴希望周波数における受信信号品質が所定値より改善した場合に前記報知部へ報知信号を出力する移動体用無線受信装置。
【請求項４】
請求項１に記載の移動体用無線受信装置であって、
前記操作入力部は、ユーザによる視聴周波数の切り替え指示の入力機能を有し、
前記周波数情報記憶部は、前記受信部により復調された過去の視聴周波数の周波数情報を記憶するものであり、
前記操作入力部からの指示入力に基づき、前記受信部における復調周波数として、前記操作入力部により設定または切替指示がなされた現在の視聴周波数と、前記周波数情報記憶部に記憶された過去の視聴周波数とを所定のタイミングで切り替える周波数情報切替部を備え、
前記信号品質判定部は、前記過去の視聴周波数における受信信号品質が所定値より改善した場合に前記報知部へ報知信号を出力する移動体用無線受信装置。
【請求項５】
請求項１に記載の移動体用無線受信装置であって、
前記操作入力部は、ユーザによる視聴周波数の切り替え指示の入力機能を有し、
前記受信部として複数の受信経路をそれぞれ構成する複数の受信部を備えるとともに、前記複数の受信部の復調信号を切り替えまたは合成する受信信号選択部を備え、
前記周波数情報記憶部は、前記受信部により復調された過去の視聴周波数の周波数情報を記憶するものであり、
前記受信部は、前記操作入力部からの指示入力に基づき、複数の受信部のうちの第１の受信部で前記周波数情報記憶部に記憶された過去の視聴周波数の復調を行い、第２の受信部で前記操作入力部により設定または切替指示がなされた現在の視聴周波数の復調を行うものであり、
前記信号品質判定部は、前記過去の視聴周波数における受信信号品質が所定値より改善した場合に前記報知部へ報知信号を出力する移動体用無線受信装置。
【請求項６】
請求項１から５のいずれかに記載の移動体用無線受信装置であって、
前記受信部からの復調信号の代わりとなる代替挿入信号を発生する代替挿入信号発生部と、前記受信部の出力と前記代替挿入信号発生部の出力とを切り替える信号経路切替部とを備える移動体用無線受信装置。
【発明の詳細な説明】
【技術分野】
【０００１】
本発明は、無線通信により配信番組などの動画像のコンテンツ等の受信を行う移動体用無線受信装置に関する。
【背景技術】
【０００２】
移動体用無線受信装置としては、携帯電話装置にＴＶ放送番組のコンテンツなどを受信可能なチューナ（受信部）を搭載したものなどが普及しつつある。従来、この種の移動体用無線受信装置では、コンテンツを視聴したい周波数にユーザが周波数設定を行い、その周波数に対応する基準信号とアンテナで受信した到来信号とを受信部で合成処理して復調し、復調信号をスピーカやモニタに出力することで、ユーザは音や映像を視聴できるようになっている。
【０００３】
移動体用無線受信装置において、受信する到来信号は、マルチパスフェージングなどの自身の信号経路差等による干渉、あるいは周囲の雑音や外来波などの妨害波により、移動中の受信信号品質が大きく変化していく。すなわち、所望のコンテンツの視聴ができたり出来なかったりという受信状態が不安定になる現象が発生することがある。これを回避するために、一般的には複数系統を用いたダイバーシチ受信を行うことで、移動中の受信信号品質の劣化を低減させている。
【０００４】
図７は、従来の移動体用無線受信装置のダイバーシチ受信部の構成を示す図である。この移動体用無線受信装置は、電波を受信する第１のアンテナ５１及び第２のアンテナ５２と、受信信号の復調処理を行う第１の受信部５３及び第２の受信部５４と、復調のための基準信号を発生出力する信号発生部５５と、信号経路切替用スイッチ５６と、復調信号の品質を判定する信号品質判定部５７と、復調信号を出力する信号出力部５８と、映像表示を行う液晶ディスプレイ等の表示装置を有してなる表示部５９と、操作ボタンなどを有してなる操作入力部６０とを備えて構成される。また図示しないが、信号出力部５８には表示部５９の他に、音声再生を行うスピーカやイヤホンなどの発音手段も接続されている。
【０００５】
第１のアンテナ５１と第２のアンテナ５２により受波されて入力された受信信号は、それぞれ第１の受信部５３、第２の受信部５４に入力される。このとき、ユーザが操作入力部６０を用いて指示入力を行い、視聴したい希望のコンテンツが配信される視聴希望周波数を設定すると、設定した視聴希望周波数の指示信号が信号発生部５５に入力され、信号発生部５５より視聴希望周波数に対応する周波数の基準信号が出力される。そして、第１の受信部５３、第２の受信部５４において、それぞれ、受信信号と基準信号とに基づき復調が行われる。
【０００６】
信号品質判定部５７では、復調された２つの経路の受信信号の品質を比較判定し、受信信号品質の優れている経路を選択するように、信号経路切替用スイッチ５６に切替指示信号を出力する。これにより、信号経路切替用スイッチ５６が切り替えられ、受信信号品質が良好な方の信号経路が選択されて信号経路切替用スイッチ５６、信号出力部５８を経て所定の信号処理が施され、表示部５９等に出力される。この動作を常時繰り返すことで、フェージングなどによる信号品質劣化を改善した受信信号に基づくコンテンツが表示装置８に示されることになる。
【０００７】
このダイバーシチ受信部は、複数のアンテナ及び受信部の信号経路を切り替えるものであり、複数のアンテナの物理的な位置関係（相関関係）を利用した構成である。他の構成としては、受信部は１つのみでアンテナだけを複数設けてアンテナのみを切り替える方式（アンテナ切り替えダイバーシチ）や、信号経路切替用スイッチ５６で信号経路を切り替えるのではなく、受信信号品質が最良になるように複数の経路の信号を合成する方式（最大比合成）などもある。
【０００８】
【特許文献１】特開平７−２８４０３０号公報
【発明の開示】
【発明が解決しようとする課題】
【０００９】
上述した従来の移動体用無線受信装置においては、移動中などで明らかに第１番目に視聴を希望するコンテンツの周波数の受信電波が弱い時には、ダイバーシチ受信であっても、視聴に耐えうる受信信号品質は望めないため、ユーザは、操作入力部６０より指示入力を行って視聴周波数を切り替え、第２番目に視聴を希望するコンテンツを配信している周波数を選択して第２希望のコンテンツの視聴を続けることになる。そして、もし、第１希望のコンテンツの周波数の受信電波が強くなり、受信信号品質が改善したとしても、ユーザはそれに気付かず、第２希望のコンテンツの周波数で視聴を続けることになる。すなわち、「第１番目に視聴を希望するコンテンツを出来る限り視聴したい」というユーザの要望に応えられないという問題があった。
【００１０】
本発明は、上記事情に鑑みてなされたもので、受信状態などに応じて、ユーザが希望する周波数の信号をできる限り受信可能にすることができる移動体用無線受信装置を提供することを目的とする。
【課題を解決するための手段】
【００１１】
本発明の移動体用無線受信装置は、視聴周波数に関する操作指示を入力する操作入力部と、前記視聴周波数の受信信号を復調する受信部と、前記視聴周波数に関する周波数情報を記憶する周波数情報記憶部と、前記受信部により復調した受信信号品質を判定する信号品質判定部と、前記信号品質判定部の判定結果に基づき報知を行う報知部とを備え、前記信号品質判定部は、前記周波数情報記憶部に記憶された周波数における受信信号品質を判定し、所定値より改善した場合に前記報知部へ報知信号を出力するものである。
【００１２】
これにより、例えば、ユーザが希望する視聴希望周波数や過去に視聴した視聴周波数などを周波数情報記憶部に記憶させた状態で、受信信号品質の劣化などのためにユーザ操作に基づく操作入力部からの切替指示入力などにより他の周波数を視聴している場合に、視聴希望周波数や過去の視聴周波数などの受信信号品質が改善した場合には、報知部によりユーザに報知することができる。このため、受信状態などに応じて、ユーザが希望する周波数の信号をできる限り受信可能にすることができる。
【００１３】
また、上記の移動体用無線受信装置であって、前記操作入力部は、ユーザによる視聴希望周波数の設定の入力機能と、視聴周波数の切り替え指示の入力機能とを有し、前記周波数情報記憶部は、前記設定された視聴希望周波数の周波数情報を記憶するものであり、前記操作入力部からの指示入力に基づき、前記受信部における復調周波数として、前記操作入力部により設定または切替指示がなされた現在の視聴周波数と、前記周波数情報記憶部に記憶された視聴希望周波数とを所定のタイミングで切り替える周波数情報切替部を備え、前記信号品質判定部は、前記視聴希望周波数における受信信号品質が所定値より改善した場合に前記報知部へ報知信号を出力するものとする。
【００１４】
これにより、例えば、ユーザが第１番目に視聴を希望する視聴希望周波数を操作入力部を介して設定して周波数情報記憶部に記憶させた状態で、受信信号品質の劣化などにより他の周波数を視聴している場合に、視聴希望周波数の受信信号品質が改善した場合には、報知部によりユーザに報知することができる。このため、「第１番目に視聴を希望するコンテンツを出来る限り視聴したい」などというユーザの要望に応えることが可能となり、受信状態などに応じて、ユーザが希望する周波数の信号をできる限り受信可能にすることができる。
【００１５】
また、上記の移動体用無線受信装置であって、前記操作入力部は、ユーザによる視聴希望周波数の設定の入力機能と、視聴周波数の切り替え指示の入力機能とを有し、前記受信部として複数の受信経路をそれぞれ構成する複数の受信部を備えるとともに、前記複数の受信部の復調信号を切り替えまたは合成する受信信号選択部を備え、前記周波数情報記憶部は、前記設定された視聴希望周波数の周波数情報を記憶するものであり、前記受信部は、前記操作入力部からの指示入力に基づき、複数の受信部のうちの第１の受信部で前記周波数情報記憶部に記憶された視聴希望周波数の復調を行い、第２の受信部で前記操作入力部により設定または切替指示がなされた現在の視聴周波数の復調を行うものであり、前記信号品質判定部は、前記視聴希望周波数における受信信号品質が所定値より改善した場合に前記報知部へ報知信号を出力するものとする。
【００１６】
これにより、例えば、ユーザが第１番目に視聴を希望する視聴希望周波数を操作入力部を介して設定して周波数情報記憶部に記憶させた状態で、受信信号品質の劣化などにより他の周波数を視聴している場合に、視聴希望周波数の受信信号品質が改善した場合には、報知部によりユーザに報知することができる。このとき、複数の受信部を用いることで、第１番目の視聴希望周波数での受信信号品質を判定する際に、現在視聴中の周波数を切り替える必要が無いために、「第１番目に視聴を希望するコンテンツが視聴出来ないのであれば、第２番目に視聴を希望するコンテンツを継続して安定的に視聴したい」などというユーザの要望に応えることが可能になる。
【００１７】
また、上記の移動体用無線受信装置であって、前記操作入力部は、ユーザによる視聴周波数の切り替え指示の入力機能を有し、前記周波数情報記憶部は、前記受信部により復調された過去の視聴周波数の周波数情報を記憶するものであり、前記操作入力部からの指示入力に基づき、前記受信部における復調周波数として、前記操作入力部により設定または切替指示がなされた現在の視聴周波数と、前記周波数情報記憶部に記憶された過去の視聴周波数とを所定のタイミングで切り替える周波数情報切替部を備え、前記信号品質判定部は、前記過去の視聴周波数における受信信号品質が所定値より改善した場合に前記報知部へ報知信号を出力するものとする。
【００１８】
これにより、例えば、ユーザの過去の視聴経歴に基づき視聴周波数を周波数情報記憶部に記憶させた状態で、受信信号品質の劣化などにより他の周波数を視聴している場合に、過去の視聴周波数の受信信号品質が改善した場合には、報知部によりユーザに報知することができる。このため、「視聴を希望するコンテンツを出来る限り視聴したい」などというユーザの要望に応えることが可能となる。
【００１９】
また、上記の移動体用無線受信装置であって、前記操作入力部は、ユーザによる視聴周波数の切り替え指示の入力機能を有し、前記受信部として複数の受信経路をそれぞれ構成する複数の受信部を備えるとともに、前記複数の受信部の復調信号を切り替えまたは合成する受信信号選択部を備え、前記周波数情報記憶部は、前記受信部により復調された過去の視聴周波数の周波数情報を記憶するものであり、前記受信部は、前記操作入力部からの指示入力に基づき、複数の受信部のうちの第１の受信部で前記周波数情報記憶部に記憶された過去の視聴周波数の復調を行い、第２の受信部で前記操作入力部により設定または切替指示がなされた現在の視聴周波数の復調を行うものであり、前記信号品質判定部は、前記過去の視聴周波数における受信信号品質が所定値より改善した場合に前記報知部へ報知信号を出力するものとする。
【００２０】
これにより、例えば、ユーザの過去の視聴経歴に基づき視聴周波数を周波数情報記憶部に記憶させた状態で、受信信号品質の劣化などにより他の周波数を視聴している場合に、過去の視聴周波数の受信信号品質が改善した場合には、報知部によりユーザに報知することができる。このとき、複数の受信部を用いることで、視聴周波数の受信信号品質を判定する際に、現在視聴中の周波数を切り替える必要が無いために、「第１番目に視聴を希望するコンテンツが視聴出来ないのであれば、第２番目に視聴を希望するコンテンツを継続して安定的に視聴したい」などというユーザの要望に応えることが可能になる。
【００２１】
また、上記いずれかの移動体用無線受信装置であって、前記受信部からの復調信号の代わりとなる代替挿入信号を発生する代替挿入信号発生部と、前記受信部の出力と前記代替挿入信号発生部の出力とを切り替える信号経路切替部とを備えるものとする。
【００２２】
これにより、上記のいずれかの効果に加えて、視聴周波数を切り替えて受信信号品質を判定する際に、代替挿入信号によるコンテンツを再生表示することで、「視聴を希望するコンテンツを出来る限り視聴したい」などというユーザの要望に応えるとともに、「不快な情報は視聴したくない」というユーザの要望に応えることが可能になる。
【発明の効果】
【００２３】
本発明によれば、受信状態などに応じて、ユーザが希望する周波数の信号をできる限り受信可能にすることができる移動体用無線受信装置を提供することができる。
【発明を実施するための最良の形態】
【００２４】
本実施形態では、携帯電話装置などにＴＶ放送番組のコンテンツなどを受信可能なチューナ（受信部）を搭載した移動体用無線受信装置の構成例を示す。
【００２５】
（第１の実施形態）
図１は本発明の第１の実施形態に係る移動体用無線受信装置の主要部の構成を示すブロック図である。
【００２６】
第１の実施形態の移動体用無線受信装置は、電波を受信するアンテナ１と、受信信号の復調処理を行う受信部３と、復調のための基準信号を発生出力する信号発生部５と、復調信号の品質を判定する信号品質判定部７と、信号発生部５より出力する基準信号の周波数情報を切り替える周波数情報切替部８と、周波数情報を記憶する周波数情報記憶部９と、操作ボタンなどを有してなる操作入力部１０と、復調信号を出力する信号出力部１１と、映像表示を行う液晶ディスプレイ等の表示装置を有してなる表示部１２と、ユーザに受信状態等の報知を行う報知部１３とを備えて構成される。
【００２７】
信号品質判定部７は、復調された受信信号の品質を判定し、受信信号品質に応じて周波数情報切替部８に切替指示信号を出力する。周波数情報切替部８は、周波数情報記憶部９からの周波数情報、操作入力部１０からの切替指示入力、信号品質判定部７からの切替指示信号などに基づき、信号発生部５へ出力する周波数情報を切り替える。これにより、信号発生部５から出力される基準信号の周波数が切り替えられ、受信部３で復調される受信信号の周波数が切り替わる。
【００２８】
周波数情報記憶部９は、ユーザが設定した視聴希望周波数、ユーザが視聴しているコンテンツの周波数等の周波数情報を記憶する。操作入力部１０は、ユーザの操作に応じて設定や切替指示などの入力を行うユーザインタフェースであり、視聴希望周波数の設定の入力機能、視聴周波数の切り替え指示の入力機能などの機能を有する。操作入力部１０としては、操作ボタン及びスイッチ、タッチパネル、タッチパッド、ジョイスティック、ロータリーエンコーダなどの各種操作入力手段を用いることができる。
【００２９】
表示部１２は、信号出力部１１を経て出力される画像、文字などの表示を行うもので、受信部３で復調された受信コンテンツなどの表示を行う。例えば、所定の周波数（チャンネル）の信号を受信及び復調する際に、ＴＶ放送番組やこれに準じた配信コンテンツを受信した場合は、表示部１２に動画像のコンテンツが表示される。信号出力部１１は、復調信号を出力するインタフェースであり、表示部１２の他に、図示しないスピーカ、イヤホンなどの発音手段等の、種々の信号再生手段と接続され、これらの信号再生手段へ出力するものが含まれる。
【００３０】
報知部１３は、音、光、文字、振動、熱、香りなどの各種手段が用いられる。例えば、受信信号品質が劣化して第１番目の視聴希望周波数のコンテンツが視聴不可能となった後、受信信号品質が改善した場合に、ユーザに視聴希望周波数のコンテンツが視聴可能になった旨を報知する。なお、報知部１３は、特に別途設けることなく、表示部１２を報知部として機能させて兼用することも可能である。
【００３１】
アンテナ１により受波されて入力された受信信号は、受信部３に入力されて復調される。このとき、ユーザが操作入力部１０を用いて指示入力を行い、第１番目に視聴したい希望のコンテンツが配信される第１番目の視聴希望周波数を設定すると、設定した視聴希望周波数の周波数情報が周波数情報記憶部９に記憶されて設定登録される。そして、視聴希望周波数の周波数情報が周波数情報切替部８に入力され、周波数情報切替部８から第１番目の視聴希望周波数の指示信号が信号発生部５に入力されて、信号発生部５より視聴希望周波数に対応する周波数の基準信号が出力される。そして、受信部３において、受信信号と基準信号とに基づき第１番目の視聴希望周波数の復調が行われ、受信部３の出力信号が信号出力部１１を介して表示部１２に出力される。これにより、表示部１２に第１番目の視聴希望周波数のコンテンツが再生表示される。
【００３２】
この状態で、第１番目に視聴を希望する周波数（チャンネル）の受信信号品質が劣化するなどして、視聴が困難になった場合、ユーザは操作入力部１０を用いて他の周波数に切り替えるように視聴周波数切替指示を行い、代替のコンテンツを再生させて視聴する。この場合、操作入力部１０からの視聴周波数切替指示に応じて、周波数情報切替部８から第２番目の視聴希望周波数の周波数情報の指示信号が信号発生部５に入力されて、信号発生部５より視聴希望周波数に対応する周波数の基準信号が出力される。そして、受信部３において、受信信号と基準信号とに基づき第２番目の視聴希望周波数の復調が行われ、受信部３の出力信号が信号出力部１１を介して表示部１２に出力される。これにより、表示部１２に第２番目の視聴希望周波数のコンテンツが再生表示される。
【００３３】
このとき、周波数情報切替部８は、信号発生部５に指示信号を出力し、操作入力部１０からの視聴周波数切替指示に基づく現在視聴中のコンテンツの周波数と、周波数情報記憶部９に記憶された周波数情報に基づく視聴希望周波数とを、任意のタイミングで切り替える。そして、信号品質判定部７は、第１番目の視聴希望周波数と、受信信号品質劣化後に切り替えた第２番目の視聴希望周波数とについて、それぞれ受信信号品質を判定して比較し、第１番目の視聴希望周波数の受信信号品質が所定の閾値よりも改善した場合には、判定結果信号を報知部１３に出力する。そして、報知部１３の報知動作により、ユーザに対して受信信号品質が改善して視聴希望周波数のコンテンツが視聴可能になった旨が報知される。これにより、「第１番目に視聴を希望するコンテンツを出来る限り視聴したい」というユーザの要望に応えることが可能となる。
【００３４】
図２は第１の実施形態における周波数切り替え等の動作手順を示すフローチャートである。ユーザが視聴希望周波数として第１視聴希望チャネル（ｃｈ１）を視聴するときには（ステップＳ１）、操作入力部１０を用いて第１視聴希望チャネルｃｈ１の設定指示操作を行う。これにより、操作入力部１０から視聴希望周波数設定指示ｃｈ１を入力する（ステップＳ２）。そして、周波数情報記憶部９において、第１視聴希望チャネルｃｈ１の周波数情報を記憶する（ステップＳ３）。このとき、受信部３において第１視聴希望チャネルｃｈ１が復調され、その受信信号に基づく第１視聴希望チャネルｃｈ１のコンテンツが表示部１２に表示され、ユーザが第１番目に視聴を希望するコンテンツが視聴可能となっている。
【００３５】
受信信号品質劣化などの理由により、第１視聴希望チャネルｃｈ１の視聴が困難になった場合、ユーザは他の第２視聴希望チャネル（ｃｈ２）を視聴するために、操作入力部１０を用いて第２視聴希望チャネルｃｈ２への切替指示操作を行う。これにより、操作入力部１０から視聴周波数切替指示ｃｈ２を入力する（ステップＳ４）。
【００３６】
この視聴周波数切替指示を受けて、周波数情報切替部８は、信号発生部５に対して第２視聴希望チャネルｃｈ２への周波数切替を指示する（ステップＳ５）。これに応じて、信号発生部５は、出力周波数を第２視聴希望チャネルｃｈ２に対応する周波数に切り替える（ステップＳ６）。このとき、受信部３において第２視聴希望チャネルｃｈ２が復調され、その受信信号に基づく第２視聴希望チャネルｃｈ２のコンテンツが表示部１２に表示され、ユーザが第２番目に視聴を希望するコンテンツが視聴可能となる。
【００３７】
その後、周波数情報切替部８は、任意の時間間隔で、周波数情報記憶部９に記憶された第１視聴希望チャネルｃｈ１の周波数情報を呼び出し（ステップＳ７）、信号発生部５に対して第１視聴希望チャネルｃｈ１への周波数切替を指示する（ステップＳ８）。これに応じて、信号発生部５は、出力周波数を第１視聴希望チャネルｃｈ１に対応する周波数に切り替える（ステップＳ９）。
【００３８】
そして、信号品質判定部７は、受信部３で復調した第１視聴希望チャネルｃｈ１の受信信号品質を確認する（ステップＳ１０）。そして、第１視聴希望チャネルｃｈ１の受信信号品質が所定値以上に改善して良好であるか否かを判定する（ステップＳ１１）。ここで、まだ第１視聴希望チャネルｃｈ１の受信信号品質が良好でない場合は、ステップＳ５の処理に戻り、周波数情報切替部８が信号発生部５に対して第２視聴希望チャネルｃｈ２への周波数切替指示を行い、第２視聴希望チャネルｃｈ２に視聴周波数を切り替えて上記ステップＳ５〜Ｓ１０の処理を繰り返す。
【００３９】
一方、第１視聴希望チャネルｃｈ１の受信信号品質が改善して良好になった場合は、信号品質判定部７から報知部１３に判定結果信号を出力し、報知部１３よりユーザに対して信号品質の改善を報知する（ステップＳ１２）。ユーザは、報知部１３による音や光等の報知を感知して、第１視聴希望チャネルｃｈ１が視聴可能であることを認識し、操作入力部１０を用いて第１視聴希望チャネルｃｈ１への切替指示操作を行うことで、視聴周波数を切り替えることができる。このとき、受信部３において第１視聴希望チャネルｃｈ１が復調され、その受信信号に基づく第１視聴希望チャネルｃｈ１のコンテンツが表示部１２に表示され、ユーザが第１番目に視聴を希望するコンテンツが視聴可能となる。
【００４０】
なお、報知部１３を用いる代わりに、表示部１２を報知部として用いるようにし、ステップＳ１２において信号品質判定部７から表示部１２に判定結果信号を出力し、表示部１２に文字や画像を表示することでユーザに対して報知することも可能である。また、受信信号品質が改善した場合に、ユーザへ報知すると共に、あるいは報知しないで、第１視聴希望チャネルｃｈ１に視聴周波数を切り替えて表示部１２の表示内容を第１視聴希望チャネルｃｈ１のコンテンツに自動的に切り替えることによってユーザに報知を行い、ユーザが第１番目に視聴を希望するコンテンツを視聴可能にすることも当然可能である。
【００４１】
上述したように、第１の実施形態では、ユーザが操作入力部１０等のユーザインタフェースを使用し、第１番目に視聴を希望するコンテンツの周波数を、周波数情報記憶部９に登録しておき、受信信号品質の劣化などで他の周波数のコンテンツを視聴している場合に、現在視聴中のコンテンツの周波数とユーザにより登録された第１視聴希望周波数とを任意のタイミングで切り替えて、第１視聴希望周波数の受信信号品質を信号品質判定部７で判定し、その受信信号品質が改善した場合には、報知部１３によってユーザに報知するようにしている。これによって、「第１番目に視聴を希望するコンテンツを出来る限り視聴したい」というユーザの要望に応えることが可能となる。したがって、受信状態などに応じて、ユーザが希望する周波数の信号をできる限り受信可能にすることができる。
【００４２】
（第２の実施形態）
図３は本発明の第２の実施形態に係る移動体用無線受信装置の主要部の構成を示すブロック図である。なお、第１の実施形態と同様の構成要素には同一の符号を付して説明を省略する。
【００４３】
第２の実施形態の移動体用無線受信装置は、電波を受信する第１のアンテナ１及び第２のアンテナ２と、受信信号の復調処理を行う第１の受信部３及び第２の受信部４と、復調のための基準信号を発生出力する第１の信号発生部５及び第２の信号発生部６と、第１の受信部３と第２の受信部４の復調信号の選択出力を行う受信信号選択部１５とを備えている。受信信号選択部１５は、第１の受信部３と第２の受信部４のいずれかの復調信号を出力するように切り替えたり、第１の受信部３と第２の受信部４の復調信号を所定の重み付けによって合成して出力する。
【００４４】
また、第１の実施形態と同様に、復調信号の品質を判定する信号品質判定部７と、周波数情報を記憶する周波数情報記憶部９と、操作ボタンなどを有してなる操作入力部１０と、復調信号を出力する信号出力部１１と、映像表示を行う液晶ディスプレイ等の表示装置を有してなる表示部１２と、ユーザに受信状態等の報知を行う報知部１３とを備えて構成される。この第２の実施形態は、第１の実施形態に加えて、複数の受信経路を設けた構成例である。
【００４５】
第１のアンテナ１、第２のアンテナ２によりそれぞれ受波されて入力された受信信号は、第１の受信部３、第２の受信部４にそれぞれ入力されて復調される。このとき、ユーザが操作入力部１０を用いて指示入力を行い、第１番目に視聴したい希望のコンテンツが配信される第１番目の視聴希望周波数を設定すると、設定した視聴希望周波数の周波数情報が周波数情報記憶部９に記憶されて設定登録される。そして、視聴希望周波数の周波数情報に基づく指示信号が第１の信号発生部５に入力されて、第１の信号発生部５より視聴希望周波数に対応する周波数の基準信号が出力される。そして、第１の受信部３において、受信信号と基準信号とに基づき第１番目の視聴希望周波数の復調が行われる。このとき、受信信号選択部１５では第１の受信部３の出力信号が選択され、信号出力部１１を介して表示部１２に出力され、表示部１２に第１番目の視聴希望周波数のコンテンツが再生表示される。
【００４６】
この状態で、第１番目に視聴を希望する周波数（チャンネル）の受信信号品質が劣化するなどして、視聴が困難になった場合、ユーザは操作入力部１０を用いて他の周波数に切り替えるように視聴周波数切替指示を行い、代替のコンテンツを再生させて視聴する。この場合、操作入力部１０からの視聴周波数切替指示に応じて、第２番目の視聴希望周波数の周波数情報の指示信号が第２の信号発生部６に入力されて、第２の信号発生部６より視聴希望周波数に対応する周波数の基準信号が出力される。そして、第２の受信部４において、受信信号と基準信号とに基づき第２番目の視聴希望周波数の復調が行われる。このとき、受信信号選択部１５では第２の受信部４の出力信号が選択され、信号出力部１１を介して表示部１２に出力され、表示部１２に第２番目の視聴希望周波数のコンテンツが再生表示される。
【００４７】
ここで、第１のアンテナ１、第１の受信部３、第１の信号発生部５による受信経路を「経路Ａ」、第２のアンテナ２、第２の受信部４、第２の信号発生部６による受信経路を「経路Ｂ」とする。そして、第１番目に視聴を希望するコンテンツの周波数（第１番目の視聴希望周波数）を受信している受信経路を経路Ａ、第２番目に視聴を希望するコンテンツの周波数（第２番目の視聴希望周波数）を受信している受信経路を経路Ｂと仮定する。
【００４８】
この場合、信号品質判定部７は、経路Ａによる第１番目の視聴希望周波数の受信信号品質を判定し、その受信信号品質が所定の閾値よりも改善した場合には、判定結果信号を報知部１３に出力する。そして、報知部１３の報知動作により、ユーザに対して受信信号品質が改善して視聴希望周波数のコンテンツが視聴可能になった旨が報知される。これにより、「第１番目に視聴を希望するコンテンツを出来る限り視聴したい」というユーザの要望に応えることが可能となる。
【００４９】
なお、報知部１３を用いる代わりに、表示部１２を報知部として用いるようにし、信号品質判定部７から表示部１２に判定結果信号を出力し、表示部１２に文字や画像を表示することでユーザに対して報知することも可能である。また、受信信号品質が改善した場合に、ユーザへ報知すると共に、あるいは報知しないで、第１番目の優先順位にある周波数に視聴周波数を切り替えて表示部１２の表示内容を自動的に切り替えることによってユーザに報知を行い、ユーザが第１番目に視聴を希望するコンテンツを視聴可能にすることも当然可能である。
【００５０】
第２の実施形態では、信号発生部を含む受信経路を複数設けてあるため、現在視聴している受信経路と独立して、他の受信経路により視聴していない周波数の受信信号品質の判定が可能であり、受信信号品質判定のために受信経路を切り替えて一時的にでも視聴を中断する必要が無い。また、経路Ａ、経路Ｂともに第１番目に視聴を希望するコンテンツの周波数を受信しているときには、ダイバーシチ受信や最大比合成などを使用して、２つの受信経路を最大限有効に利用することも可能である。
【００５１】
上述したように、第２の実施形態では、複数の受信部及び信号発生部を設けることで、第１番目の視聴希望周波数での受信信号品質を判定する際に、現在視聴中の周波数を切り替える必要が無いために、「第１番目に視聴を希望するコンテンツが視聴出来ないのであれば、第２番目に視聴を希望するコンテンツを継続して安定的に視聴したい」というユーザの要望に応えることが可能になる。
【００５２】
（第３の実施形態）
図４は本発明の第３の実施形態に係る移動体用無線受信装置の主要部の構成を示すブロック図である。なお、第１の実施形態と同様の構成要素には同一の符号を付して説明を省略する。
【００５３】
第３の実施形態の移動体用無線受信装置は、電波を受信するアンテナ１と、受信信号の復調処理を行う受信部３と、復調のための基準信号を発生出力する信号発生部５と、復調信号の品質を判定する信号品質判定部７と、信号発生部５より出力する基準信号の周波数情報を切り替える周波数情報切替部２１と、周波数情報を記憶する周波数情報記憶部２２と、操作ボタンなどを有してなる操作入力部２３と、復調信号を出力する信号出力部１１と、映像表示を行う液晶ディスプレイ等の表示装置を有してなる表示部１２と、ユーザに受信状態等の報知を行う報知部１３とを備えて構成される。この第３の実施形態は、第１の実施形態の変形例であり、過去に視聴した周波数情報の履歴を記憶するようにした構成例である。
【００５４】
周波数情報切替部２１は、周波数情報記憶部２２からの周波数情報、操作入力部２３からの切替指示入力、信号品質判定部７からの切替指示信号などに基づき、信号発生部５へ出力する周波数情報を切り替える。周波数情報記憶部２２は、ユーザが過去に視聴したコンテンツの周波数等の周波数情報を、視聴時間などにより任意の優先順位を付加した状態でその都度記憶する。操作入力部２３は、ユーザの操作に応じて設定や切替指示などの入力を行うユーザインタフェースであり、視聴周波数の切り替え指示の入力機能などの機能を有する。操作入力部２３としては、操作ボタン及びスイッチ、タッチパネル、タッチパッド、ジョイスティック、ロータリーエンコーダなどの各種操作入力手段を用いることができる。
【００５５】
アンテナ１により受波されて入力された受信信号は、受信部３に入力されて復調される。このとき、ユーザが過去に視聴した周波数情報は、視聴時間などによって任意の優先順位が付加され、その都度自動的に周波数情報記憶部２２に設定登録される。また、ユーザ設定などによる視聴希望周波数の周波数情報が操作入力部２３より周波数情報切替部２１に入力され、周波数情報切替部２１から第１番目の視聴希望周波数の指示信号が信号発生部５に入力されて、信号発生部５より視聴希望周波数に対応する周波数の基準信号が出力される。そして、受信部３において、受信信号と基準信号とに基づき第１番目の視聴希望周波数の復調が行われ、受信部３の出力信号が信号出力部１１を介して表示部１２に出力される。これにより、表示部１２に現在指定された第１番目の視聴希望周波数のコンテンツが再生表示される。
【００５６】
この状態で、第１番目に視聴を希望する周波数（チャンネル）の受信信号品質が劣化するなどして、視聴が困難になった場合、ユーザは操作入力部２３を用いて他の周波数に切り替えるように視聴周波数切替指示を行い、代替のコンテンツを再生させて視聴する。この場合、操作入力部２３からの視聴周波数切替指示に応じて、周波数情報切替部２１から第２番目の視聴希望周波数の周波数情報の指示信号が信号発生部５に入力されて、信号発生部５より視聴希望周波数に対応する周波数の基準信号が出力される。そして、受信部３において、受信信号と基準信号とに基づき第２番目の視聴希望周波数の復調が行われ、受信部３の出力信号が信号出力部１１を介して表示部１２に出力される。これにより、表示部１２に第２番目の視聴希望周波数のコンテンツが再生表示される。
【００５７】
このとき、周波数情報切替部２１は、信号発生部５に指示信号を出力し、操作入力部２３からの視聴周波数切替指示に基づく現在視聴中のコンテンツの周波数と、周波数情報記憶部２２に記憶された周波数情報に基づく視聴周波数とを、任意のタイミングで切り替え、ユーザの過去の視聴経歴より登録された周波数情報を任意の優先順位で呼び出す。そして、信号品質判定部７は、これらの視聴履歴による視聴周波数の受信信号品質をそれぞれ判定し、視聴周波数の受信信号品質が所定の閾値よりも改善した場合には、判定結果信号を報知部１３に出力する。そして、報知部１３の報知動作により、ユーザに対して受信信号品質が改善して過去の視聴履歴に基づく視聴希望周波数のコンテンツが視聴可能になった旨が報知される。これにより、「視聴を希望するコンテンツを出来る限り視聴したい」というユーザの要望に応えることが可能となる。
【００５８】
なお、報知部１３を用いる代わりに、表示部１２を報知部として用いるようにし、信号品質判定部７から表示部１２に判定結果信号を出力し、表示部１２に文字や画像を表示することでユーザに対して報知することも可能である。また、受信信号品質が改善した場合に、ユーザへ報知すると共に、あるいは報知しないで、第１番目の優先順位にある周波数に視聴周波数を切り替えて表示部１２の表示内容を自動的に切り替えることによってユーザに報知を行い、ユーザが第１番目に視聴を希望するコンテンツを視聴可能にすることも当然可能である。
【００５９】
上述したように、第３の実施形態では、ユーザが過去に視聴した周波数情報を、視聴時間などにより任意の優先順位をつけて自動的に周波数情報自動記憶部２２に設定登録し、この過去に視聴した周波数と現在視聴中のコンテンツの周波数とを任意のタイミングで切り替えて、ユーザの過去の視聴経歴により登録された周波数情報を任意の優先順位ごとに呼び出し、この過去の視聴周波数の受信信号品質を信号品質判定部７で判定し、その受信信号品質が改善した場合には、報知部１３によってユーザに報知するようにしている。これによって、「視聴を希望するコンテンツを出来る限り視聴したい」というユーザの要望に応えることが可能となる。
【００６０】
（第４の実施形態）
図５は本発明の第４の実施形態に係る移動体用無線受信装置の主要部の構成を示すブロック図である。なお、第１〜第３の実施形態と同様の構成要素には同一の符号を付して説明を省略する。
【００６１】
第４の実施形態の移動体用無線受信装置は、電波を受信する第１のアンテナ１及び第２のアンテナ２と、受信信号の復調処理を行う第１の受信部３及び第２の受信部４と、復調のための基準信号を発生出力する第１の信号発生部５及び第２の信号発生部６と、第１の受信部３と第２の受信部４のいずれかの復調信号を出力するように切り替える受信信号選択部１５とを備えている。また、第３の実施形態と同様に、復調信号の品質を判定する信号品質判定部７と、周波数情報を記憶する周波数情報記憶部２２と、操作ボタンなどを有してなる操作入力部２３と、復調信号を出力する信号出力部１１と、映像表示を行う液晶ディスプレイ等の表示装置を有してなる表示部１２と、ユーザに受信状態等の報知を行う報知部１３とを備えて構成される。この第４の実施形態は、第２の実施形態の変形例であり、複数の受信経路を備える構成において、第３の実施形態と同様に過去に視聴した周波数情報の履歴を記憶するようにした構成例である。
【００６２】
第１のアンテナ１、第２のアンテナ２によりそれぞれ受波されて入力された受信信号は、第１の受信部３、第２の受信部４にそれぞれ入力されて復調される。このとき、ユーザが過去に視聴した周波数情報は、視聴時間などによって任意の優先順位が付加され、その都度自動的に周波数情報記憶部２２に設定登録される。また、また、ユーザ設定などによる視聴希望周波数の周波数情報が操作入力部２３より第２の信号発生部６に入力され、第２の信号発生部６より視聴希望周波数に対応する周波数の基準信号が出力される。そして、第２の受信部４において、受信信号と基準信号とに基づき第１番目の視聴希望周波数の復調が行われる。このとき、受信信号選択部１５では第２の受信部４の出力信号が選択され、信号出力部１１を介して表示部１２に出力され、表示部１２に現在指定された第１番目の視聴希望周波数のコンテンツが再生表示される。
【００６３】
この状態で、第１番目に視聴を希望する周波数（チャンネル）の受信信号品質が劣化するなどして、視聴が困難になった場合、ユーザは操作入力部２３を用いて他の周波数に切り替えるように視聴周波数切替指示を行い、代替のコンテンツを再生させて視聴する。この場合、操作入力部２３からの視聴周波数切替指示に応じて、第２番目の視聴希望周波数の周波数情報の指示信号が第２の信号発生部６に入力されて、第２の信号発生部６より視聴希望周波数に対応する周波数の基準信号が出力される。そして、第２の受信部４において、受信信号と基準信号とに基づき第２番目の視聴希望周波数の復調が行われ、第２の受信部４の出力信号が受信信号選択部１５、信号出力部１１を介して表示部１２に出力される。これにより、表示部１２に第２番目の視聴希望周波数のコンテンツが再生表示される。
【００６４】
またこのとき、以前に視聴していた第１番目の視聴希望周波数の周波数情報が周波数情報記憶部２２に記憶され、第１のアンテナ１、第１の受信部３、第１の信号発生部５によって第１番目の視聴希望周波数の復調が行われる。
【００６５】
ここで、第２の実施形態と同様、第１のアンテナ１、第１の受信部３、第１の信号発生部５による受信経路を「経路Ａ」、第２のアンテナ２、第２の受信部４、第２の信号発生部６による受信経路を「経路Ｂ」とする。そして、第１番目に視聴を希望するコンテンツの周波数（第１番目の視聴希望周波数）を受信している受信経路を経路Ａ、第２番目に視聴を希望するコンテンツの周波数（第２番目の視聴希望周波数）を受信している受信経路を経路Ｂと仮定する。
【００６６】
この場合、信号品質判定部７は、経路Ａによる第１番目の視聴希望周波数の受信信号品質を判定し、その受信信号品質が所定の閾値よりも改善した場合には、判定結果信号を報知部１３に出力する。そして、報知部１３の報知動作により、ユーザに対して受信信号品質が改善して視聴希望周波数のコンテンツが視聴可能になった旨が報知される。これにより、「第１番目に視聴を希望するコンテンツを出来る限り視聴したい」というユーザの要望に応えることが可能となる。第４の実施形態では、第２の実施形態と同様、信号発生部を含む受信経路を複数設けてあるため、現在視聴している受信経路と独立して、他の受信経路により視聴していない周波数の受信信号品質の判定が可能であり、受信信号品質判定のために受信経路を切り替えて一時的にでも視聴を中断する必要が無い。また、経路Ａ、経路Ｂともに第１番目に視聴を希望するコンテンツの周波数を受信しているときには、ダイバーシチ受信や最大比合成などを使用して、２つの受信経路を最大限有効に利用することも可能である。
【００６７】
また、第４の実施形態では、過去にユーザが視聴を希望した周波数情報を自動的に周波数情報記憶部２２に記憶して視聴周波数の履歴をリスト化することにより、この周波数情報リストの中から任意の優先順位でユーザが視聴したいと思われる周波数を自動で選択し、スキャンすることが可能である。このため、任意の優先順位で視聴希望周波数の受信信号品質を順次判定し、受信信号品質が良好な場合にユーザに知らせることができる。
【００６８】
なお、報知部１３を用いる代わりに、表示部１２を報知部として用いるようにし、信号品質判定部７から表示部１２に判定結果信号を出力し、表示部１２に文字や画像を表示することでユーザに対して報知することも可能である。また、受信信号品質が改善した場合に、ユーザへ報知すると共に、あるいは報知しないで、第１番目の優先順位にある周波数に視聴周波数を切り替えて表示部１２の表示内容を自動的に切り替えることによってユーザに報知を行い、ユーザが第１番目に視聴を希望するコンテンツを視聴可能にすることも当然可能である。
【００６９】
上述したように、第４の実施形態では、ユーザが過去に視聴した周波数情報を、視聴時間などにより任意の優先順位をつけて自動的に周波数情報自動記憶部２２に設定登録し、このユーザの過去の視聴経歴により登録された周波数情報を任意の優先順位ごとに呼び出し、この過去の視聴周波数の受信信号品質を信号品質判定部７で判定し、その受信信号品質が改善した場合には、報知部１３によってユーザに報知するようにしている。これにより、「視聴を希望するコンテンツを出来る限り視聴したい」というユーザの要望に応えることが可能となる。また、複数の受信部及び信号発生部を用いることで、視聴周波数の受信信号品質を判定する際に、現在視聴中の周波数を切り替える必要が無いために、「第１番目に視聴を希望するコンテンツが視聴出来ないのであれば、第２番目に視聴を希望するコンテンツを継続して安定的に視聴したい」というユーザの要望に応えることが可能になる。
【００７０】
（第５の実施形態）
図６は本発明の第５の実施形態に係る移動体用無線受信装置の主要部の構成を示すブロック図である。なお、第１の実施形態と同様の構成要素には同一の符号を付して説明を省略する。
【００７１】
第５の実施形態の移動体用無線受信装置は、電波を受信するアンテナ１と、受信信号の復調処理を行う受信部３と、復調のための基準信号を発生出力する信号発生部５と、復調信号の品質を判定する信号品質判定部７と、信号発生部５より出力する基準信号の周波数情報を切り替える周波数情報切替部８と、周波数情報を記憶する周波数情報記憶部９と、操作ボタンなどを有してなる操作入力部１０と、復調信号の代わりとなる代替挿入信号を発生する代替挿入信号発生部３１と、信号経路を切り替える信号経路切替スイッチ３２と、復調信号を出力する信号出力部１１と、映像表示を行う液晶ディスプレイ等の表示装置を有してなる表示部１２と、ユーザに受信状態等の報知を行う報知部１３とを備えて構成される。この第５の実施形態は、第１の実施形態に加えて、代替挿入信号を挿入する経路を設けた構成例である。
【００７２】
第５の実施形態では、第１の実施形態と同様に、ユーザが操作入力部１０等のユーザインタフェースを使用し、第１番目に視聴を希望するコンテンツの周波数を、周波数情報記憶部９に登録しておき、受信信号品質の劣化などで他の周波数のコンテンツを視聴している場合に、現在視聴中のコンテンツの周波数とユーザにより登録された第１視聴希望周波数とを任意のタイミングで切り替えて、第１視聴希望周波数の受信信号品質を信号品質判定部７で判定し、その受信信号品質が改善した場合には、報知部１３によってユーザに報知する。これにより、「第１番目に視聴を希望する番組を出来る限り視聴したい」というユーザの要望に応えることが可能となる。
【００７３】
なお、報知部１３を用いる代わりに、表示部１２を報知部として用いるようにし、信号品質判定部７から表示部１２に判定結果信号を出力し、表示部１２に文字や画像を表示することでユーザに対して報知することも可能である。また、受信信号品質が改善した場合に、ユーザへ報知すると共に、あるいは報知しないで、第１番目の優先順位にある周波数に視聴周波数を切り替えて表示部１２の表示内容を自動的に切り替えることによってユーザに報知を行い、ユーザが第１番目に視聴を希望するコンテンツを視聴可能にすることも当然可能である。
【００７４】
また、第５の実施形態の構成を第２〜第４の実施形態に同様に適用することも可能である。
【００７５】
このとき、周波数を切り替えて受信信号品質を判定している間、ユーザに対して雑音などを視聴させてしまう可能性がある。そこで、第５の実施形態では、受信信号品質を判定する期間において、信号経路切替スイッチ３２によって出力信号の信号経路を代替挿入信号発生部３１側に切り替え、切り替える直前の画像や音声、もしくは予め保存してある画像（例えばブルーバック画面やお気に入りの写真など）や予め保存してある音声などの受信情報に相当する形態のコンテンツの信号を代替挿入信号として出力し、表示部１２に再生表示する。
【００７６】
上述したように、第５の実施形態によれば、視聴周波数を切り替えて受信信号品質を判定する際に、代替挿入信号によるコンテンツを再生表示することで、第１の実施形態と同様に「第１番目に視聴を希望する番組を出来る限り視聴したい」というユーザの要望に応えるとともに、「不快な情報は視聴したくない」というユーザの要望に応えることが可能になる。
【産業上の利用可能性】
【００７７】
本発明は、受信状態などに応じて、ユーザが希望する周波数の信号をできる限り受信可能にすることができるという効果を有し、無線通信により配信番組などの動画像のコンテンツ等の受信を行う移動体用無線受信装置等に有用である。
【図面の簡単な説明】
【００７８】
【図１】本発明の第１の実施形態に係る移動体用無線受信装置の主要部の構成を示すブロック図
【図２】第１の実施形態における周波数切り替え等の動作手順を示すフローチャート
【図３】本発明の第２の実施形態に係る移動体用無線受信装置の主要部の構成を示すブロック図
【図４】本発明の第３の実施形態に係る移動体用無線受信装置の主要部の構成を示すブロック図
【図５】本発明の第４の実施形態に係る移動体用無線受信装置の主要部の構成を示すブロック図
【図６】本発明の第５の実施形態に係る移動体用無線受信装置の主要部の構成を示すブロック図
【図７】従来の移動体用無線受信装置のダイバーシチ受信部の構成を示す図
【符号の説明】
【００７９】
１  アンテナ（第１のアンテナ）
２  アンテナ（第２のアンテナ）
３  受信部（第１の受信部）
４  受信部（第２の受信部）
５  信号発生部（第１の信号発生部）
６  信号発生部（第２の信号発生部）
７  信号品質判定部
８、２１  周波数情報切替部
９、２２  周波数情報記憶部
１０、２３  操作入力部
１１  信号出力部
１２  表示部
１３  報知部
１５  受信信号選択部
３１  代替挿入信号発生部
３２  信号経路切替スイッチ
【図１】
2007329643.tif 000003
【図２】
2007329643.tif 000004
【図３】
2007329643.tif 000005
【図４】
2007329643.tif 000006
【図５】
2007329643.tif 000007
【図６】
2007329643.tif 000008
【図７】
2007329643.tif 000009